(57)【要約】  例えば、水を０．８ＭＰａ以上に加圧処理することで特殊処理水を取得し、取得した当該特殊処理水に除染の対象となる汚染物を浸漬させることにより、放射線を放出する放射性元素により汚染された汚染物の除染を行う。汚染物としては、原子力発電所の事故などにおいて放出されるトリチウム３やセシウム１３４、セシウム１３７、あるいは、ストロンチウム９０などの元素に汚染された物が想定される。
2017051479.tif 000002
【特許請求の範囲】
【請求項１】
放射性元素により汚染された汚染物を除染する除染方法であって、
水を含む特殊処理水を取得する工程と、
前記特殊処理水に前記汚染物を浸漬させる工程と、
を有する除染方法。
【請求項２】
請求項１に記載の除染方法であって、
前記特殊処理水を取得する工程は、水を０．８ＭＰａ以上に加圧することによって前記特殊処理水を生成することにより取得する工程を含む除染方法。
【請求項３】
請求項２に記載の除染方法であって、
前記特殊処理水を取得する工程は、好ましくは、水を２ＭＰａ以上に加圧する除染方法。
【請求項４】
請求項１ないし３のいずれかに記載の除染方法であって、
前記特殊処理水を取得する工程は、３テスラ以上の強磁界の下で水を循環させることによって前記特殊処理水を生成することにより取得する工程を含む除染方法。
【請求項５】
請求項１ないし４のいずれかに記載の除染方法であって、
取得された前記特殊処理水にＬＥＤの光線を照射してから前記汚染物を浸漬させる除染方法。
【請求項６】
請求項５に記載の除染方法であって、
前記ＬＥＤの光線を前記特殊処理水に照射する期間が４８時間以上である除染方法。
【発明の詳細な説明】
【技術分野】
【０００１】
本発明は、放射性元素により汚染された物体を除染する技術に関する。
【背景技術】
【０００２】
放射性元素から照射される放射線の人体への悪影響は広く認識されている。したがって、原子力発電所の事故のように、外部環境に放射性元素が放出されたときに、これを回収する技術として、従来より、様々な技術が提案されている。【０００３】
一方で、放射性元素により汚染された物体（以下、単に「汚染物」と称する。）からの放射線対策としては、回収した汚染物を、鉛や鉄、コンクリートなどで囲う遮蔽処理が一般的である。すなわち、汚染物を遮蔽した施設に保管するか、あるいは、土中深くに埋設するなどの方法が採用されている。【０００４】
汚染物を遮蔽して保管する場合、放射性核種からの放射線の放出が止まる（少なくとも人体への影響が問題視されない程度に減少する）まで安全に保管する必要がある。しかし、放射性元素の半減期は、例えば、セシウム１３７では約３０年、ストロンチウム９０では約２９年である。すなわち、汚染物が無害とみなせる状態となるまでの保管期間は長く、保管費用が増大する。【０００５】
これを解決するためには、放射性核種の壊変を早め、放射能の発生期間を短くすることが必要不可欠である。このような技術としては、例えば、ベリリウム（Ｂｅ７）をコバルト６０（Ｃｏ６０）の籠に入れた場合に、ベリリウムの半減期を短縮できたという報告がある（非特許文献１）。【０００６】
この非特許文献１に記載された技術は画期的であるものの、その効果としては不十分である。そこで、発明者は、より効果的に汚染物の除染を行える方法を模索してきた。例えば、特許文献１や非特許文献２には、発明者によって提案された除染方法に関する技術が記載されている。【０００７】
【特許文献１】特開２０１３−１１３７１６号公報
【非特許文献１】T. Ohtsuki, "Enhanced Electron-Capture Decay Rate of 7Be Encapsulated in C60 Cage", Phys. Rev. Letter 93, 112501, September 9, 2004
【非特許文献２】Sugihara, "Deactivation of Radiation from Radioactive Materials Contaminated in a Nuclear Power Plant Accident", Water Journal Vol.5, P69-85, October 27, 2013
【発明の開示】
【発明が解決しようとする課題】
【０００８】
ところが、特許文献１や非特許文献２に記載されている技術をもってしても、未だ、汚染物の除染にかかる手間や費用の抑制は充分に達成されたわけではなく、さらなる低コスト化、除染期間の短縮化が望まれている。
【課題を解決するための手段】
【０００９】
請求項１の発明は、放射性元素により汚染された汚染物を除染する除染方法であって、水を含む特殊処理水を取得する工程と、前記特殊処理水に前記汚染物を浸漬させる工程とを有する。【００１０】
また、請求項２の発明は、請求項１の発明に係る除染方法であって、前記特殊処理水を取得する工程は、水を０．８ＭＰａ以上に加圧することによって前記特殊処理水を生成することにより取得する工程を含む。【００１１】
また、請求項３の発明は、請求項２の発明に係る除染方法であって、前記特殊処理水を取得する工程は、好ましくは、水を２ＭＰａ以上に加圧する。【００１２】
また、請求項４の発明は、請求項１ないし３のいずれかの発明に係る除染方法であって、前記特殊処理水を取得する工程は、３テスラ以上の強磁界の下で水を循環させることによって前記特殊処理水を生成することにより取得する工程を含む。【００１３】
また、請求項５の発明は、請求項１ないし４のいずれかの発明に係る除染方法であって、取得された前記特殊処理水にＬＥＤの光線を照射してから前記汚染物を浸漬させる。【００１４】
また、請求項６の発明は、請求項５の発明に係る除染方法であって、前記ＬＥＤの光線を前記特殊処理水に照射する時間が４８時間以上である。
【発明の効果】
【００１５】
請求項１ないし６に記載の発明は、水を含む特殊処理水を取得する工程と、当該特殊処理水に汚染物を浸漬させる工程とを有し、これにより、通常の半減期による場合に比べて、放射線量を減衰させることができる。したがって、放射性元素により汚染された汚染物の除染を簡易かつ安価に達成することができる。
【図面の簡単な説明】
【００１６】
【図１】第１の実施の形態における除染方法を示す流れ図である。
【図２】第１の実験例の結果を示す図である。
【図３】第２の実験例の結果を示す図である。
【図４】第３の実験例の結果を示す図である。
【図５】第５の実験例の結果を示す図である。
【図６】第２の実施の形態における除染方法を示す流れ図である。
【図７】第６の実験例の結果を示す図である。
【発明を実施するための最良の形態】
【００１７】
以下、本発明の好適な実施の形態について、添付の図面を参照しつつ、詳細に説明する。【００１８】
なお、以下の説明において、「汚染物」とは、放射性元素（放射性核種）により汚染（内包、付着、混濁など）された物体であって、無機物（土砂や瓦礫、コンクリート材、プラスチック製品、機械製品、あるいは、生活用品など）であるか有機物（植物、有機性腐敗物、あるいは、木材など）であるか、あるいは、それらの混合物であるかを問わないものとする。【００１９】
また、放射性元素は、放射線を放出しつつ、ベーター崩壊あるいはガンマー崩壊する元素であって、例えば、トリチウム、セシウム１３４、セシウム１３７、ストロンチウムＳｒ９０などである。【００２０】
また、汚染物とは、放射性元素のうちの１種類の元素により汚染された物体のみならず、複数種類の元素により汚染された物体をも含む。【００２１】
さらに、「除染」とは、汚染物から放出される放射線量を、当該放射線を放出している元素の半減期から予想される減少を超えて減少させることを言うものとし、汚染物（汚染している放射性元素を含む。）に生じた物理現象をその他の意味として何ら特定するものではない。【００２２】
図１は、第１の実施の形態における除染方法を示す流れ図である。なお、図１に示す工程が開始されるまでに、除染の対象となる汚染物は、すでに特定（回収）されているものとする。【００２３】
図１に示すように、除染方法では、まず、特殊処理水を取得する（ステップＳ１）。【００２４】
なお、ステップＳ１における「特殊処理水」は、含まれる水において、当該水の水素結合をしているプロトンの結合が緩み、プロトンがイオンでも原子でもない、プロトンと電子がいわゆる粒子状＜Ｈ＋〜ｅ−＞p/eの状態となっていると推定されるものを言う。【００２５】
通常の水とは物理的特性の異なる特殊処理水は、従来より、その存在が知られている。特殊処理水は、ＮＭＲ、アイソトープ（２Ｈ）分析、ＳＱＵＩＤによる磁気モーメントのヒステリシス分析、ＦＴＩＲスペクトル分析などの結果が、通常の水とは異なることによりその存在を確かめることができる。ただし、特殊処理水において、「プロトンのイオンでも原子でもない粒子としての性質が強化されているという状態」は、直接的にその状態が確認されたものではなく、上記各種の分析結果から導かれる推定である。【００２６】
第１の実施の形態におけるステップＳ１では、水を２ＭＰａ以上で加圧することにより特殊処理水を生成（調整）して取得する。少なくとも、水を０．８ＭＰａ以上で加圧することにより、水の物理的特性が変化し、特殊処理水が生成されることはすでに確認されている現象である。このような加圧処理により、当該水におけるプロトンの水素結合が弱まり、当該プロトンにおけるイオンでも原子でもない粒子としての性質を強めるのではないかと考えられるが、これも推定である。【００２７】
特殊処理水を取得すると、当該取得した特殊処理水に汚染物を浸漬させる（ステップＳ２）。ここでは、例えば、特殊処理水を所定の容器に取り、当該容器内の特殊処理水に汚染物を浸漬させ、静置させる。【００２８】
次に、所定期間が経過したか否かを判定し（ステップＳ３）、所定期間が経過していない場合は、特殊処理水に汚染物を浸漬させた状態を維持する。なお、ステップＳ２，Ｓ３が継続される間（汚染物を特殊処理水に浸漬させる間）、当該特殊処理水を加圧しておく必要はない。また、その間の温度も、特に限定されない。また、所定期間とは、後述する検査を行う間隔を決定する時間であり、任意に決定しておくことができる。また、図１では説明の都合上、「所定期間」は固定された同一の時間のように図示しているが、この所定期間は、固定された一定の時間間隔である必要はなく、ある程度の時間間隔であればよい。あるいは、随時、放射線強度を測定しておき、汚染状況を監視してもよい。【００２９】
一方、所定期間が経過している場合（ステップＳ３においてＹｅｓ）、汚染物に対する検査を実行し（ステップＳ４）、当該検査によって、汚染物の汚染状況（例えば、放射線強度）が安全とみなせる程度であるか否かを判定する（ステップＳ５）。【００３０】
汚染物における汚染状況が、人体に対して安全とみなせる程度でない場合（ステップＳ５においてＮｏ。）、ステップＳ３に戻って、処理を継続する。すなわち、特殊処理水に汚染物を浸漬させた状態を維持する。【００３１】
一方、汚染物における汚染状況が、人体に対して安全とみなせる程度である場合（ステップＳ５においてＹｅｓ。）、除染が完了したとみなして、除染方法を終了する。【００３２】
以上が、第１の実施の形態における除染方法を構成する各工程の説明である。次に、当該除染方法による実証実験の結果について説明する。【００３３】
図２は、第１の実験例の結果を示す図である。なお、第１の実験例では、２０１１年６月（福島第２原子力発電所の事故後）に、福島県浪江町の農地で採取した汚染土壌５０［ｇ］（無機物試料）を除染の対象となる汚染物としたものである。また、図２には示していないが、比較対象として、特殊処理水の代わりに水道水に同様の汚染物を浸漬させたものを準備した。【００３４】
まず、特殊処理水および水道水に浸漬前の汚染物のセシウム１３４およびセシウム１３７のガンマー線強度を室温にて検出した。試料におけるガンマー線強度の検出には、高純度ゲルマニウム検出器（HPGe, GC3019, Camberra, Industries Meriden, CT, U.S.A.）を用いた。以下、他の実験において、検出器を特定しない限り、上記検出器による検出結果であるものとする。【００３５】
図２に示すように、汚染物のセシウム１３４によるガンマー線強度は、３２０，５１６［Ｂｑ／ｋｇ］であった。また、汚染物のセシウム１３７によるカンマー線強度は、３５４，８３４［Ｂｑ／ｋｇ］であった。【００３６】
次に、特殊処理水を汚染物（土壌）の容積量以上の容積量加えることにより、当該汚染物を特殊処理水に浸漬して、室温にて静置した。比較の水道水についても同様の処理を施した。【００３７】
そして、図２に示すように、約３年の間に、４回のガンマー線強度測定を行った。なお、浸漬後の測定に際しては、まず、汚染物を浸漬させた容器ごと１００℃で乾燥させ、乾燥させた状態で室温にてガンマー線強度を測定した。また、測定後は、特殊処理水（または水道水）を、汚染物の容積量以上の容積量加えることにより、浸漬状態に戻して静置した。すなわち、４回（最初を含めると５回）の測定は、いずれも同じそれぞれの試料について行ったものである。【００３８】
図２に示すように、セシウム１３４およびセシウム１３７から放出される放射線強度（ガンマー線強度）は、当初、６００，０００［Ｂｑ／ｋｇ］を超えていた。しかし、約３年後の２０１４年３月には、７４，８２９［Ｂｑ／ｋｇ］となっており、約８９％も減少している。これは、これらの元素の半減期から想定される減少を明らかに超えており、本発明に係る除染方法がいかに有効であるかを示すものである。【００３９】
一方、図２に図示していないが、水道水に浸漬させた汚染物のガンマー線強度については、セシウム１３４およびセシウム１３７のいずれについても、それぞれの半減期から予想される範囲内での減少となった。【００４０】
図３は、第２の実験例の結果を示す図である。なお、第２の実験例では、放射性元素に汚染されたキノコ（有機試料）についての実験である。【００４１】
まず、８２５［ｇ］のキノコを乾燥させ、重量における乾燥度８６％で砕き、１１６［ｇ］の微塊状試料とし、これを汚染物として採用した。【００４２】
次に、特殊処理水を加えて汚染物を浸漬させてから３週間経過後（２１日後）に、汚染物を乾燥させ、セシウム１３４およびセシウム１３７によるガンマー線強度を、NaI(T1)シンチレーションカウンターで、それぞれ測定した。測定時の重量における乾燥度は８５％であった。【００４３】
第２の実験例の結果は、図３に示すように、セシウム１３４およびセシウム１３７のいずれにおいても減少しており、例えば、合計値では、約６９％の減少である。これは、これらの元素の半減期から想定される減少を明らかに超えており、本発明に係る除染方法がいかに有効であるかを示すものである。【００４４】
図４は、第３の実験例の結果を示す図である。なお、第３の実験例では、放射性元素に汚染された玄米（有機試料）を汚染物とし、炊飯前に、特殊処理水に浸漬させた場合と、水道水に浸漬させた場合とを炊飯後に比較する実験である。【００４５】
まず、放射性元素に汚染された１［ｋｇ］の玄米（生米）について、セシウム１３４およびセシウム１３７によるガンマー線強度をそれぞれ測定した。次に、当該玄米（汚染物）を特殊処理水に９０分間浸漬した後に炊飯し、再び、セシウム１３４およびセシウム１３７によるガンマー線強度をそれぞれ測定した。【００４６】
炊飯後の玄米は、給水しているため、第３の実験例において、炊飯の前後における直接の比較はできない。すなわち、玄米（生米）についてのセシウム１３４およびセシウム１３７によるガンマー線強度は参考値である。しかし、図４に示すように、炊飯前に特殊処理水に９０分浸漬させた場合と水道水に浸漬させた場合とを比較すると、特殊処理水を用いた場合の方が約４０％も放射線（ガンマー線）が少ないことがわかる。これにより、本発明に係る除染方法が水道水に比べて有効であることがわかる。【００４７】
以上、第１ないし第３の実験例によって、本発明に係る除染方法が、汚染物の放射線を減少させ、除染方法として有効であることが理解できる。【００４８】
本発明に係る除染方法は、上記のとおり、放射線を放出している元素の半減期から予想される減少を超えて当該放射線を減少させていることが観測されており、その有効性が証明されている。しかし、その原理は、未だ完全には解明されていない。【００４９】
次に、本発明に係る除染方法において、放射線を減少させる原理を推定する実験例（第４の実験例および第５の実験例）を２つ示す。【００５０】
第４の実験例は、除染方法を実施する途中において、汚染物に含まれる元素（バリウム１３７）を分析したものである。汚染物としては、第１の実験例で用いたものと同様のものを用いる。また、元素分析は、ＩＣＰ−ＭＳによるものである。【００５１】
２０１１年８月（すでに特殊処理水への浸漬を開始している。）に分析したとき、汚染物中のバリウム１３７の量は、５８［μｇ／Ｌ］であり、２０１１年１１月では、１１４［μｇ／Ｌ］であった。したがって、当該期間中において、バリウム１３７が時間の経過とともに増加していることは明らかである。【００５２】
事故による汚染前の土壌を採取することはすでに不可能なため、事故前の土壌中のバリウム１３７の量を測定することはできない。しかし、一般的な土壌１［ｔ］あたりのバリウム１３７の平均含有量は概ね２．２×１０１５［個］であることが知られている。一方、２０１１年１１月における測定値である１１４［μｇ／Ｌ］は、約５×１０１７［個］であり、先述の平均含有量の約２００倍となっている。これは、バリウム１３７が何らかの理由で増加したと推定される。【００５３】
ここで、セシウム１３４およびセシウム１３７が核崩壊すると、安定核種としてのバリウム１３７が生成されることは知られている。第４の実験例によって、汚染物においてバリウム１３７の増加が推定される結果が得られたことは、本発明に係る除染方法によって、セシウム１３４およびセシウム１３７の核崩壊が加速促進されたことを強く推認させる。言い換えれば、本発明に係る除染方法は、放射線を吸収したり、遮蔽したり、あるいは、放射性元素そのものをどこかに取り去ったりすることによって汚染物から放出される放射線を減少させるのではないことが推認される。【００５４】
図５は、第５の実験例の結果を示す図である。なお、第５の実験例は、水道水のみ、水道水に第１の実験例で用いた汚染物を浸漬させたもの、および、特殊処理水に第１の実験例で用いた汚染物を浸漬させたものについて、一週間後にそれぞれ元素をＩＣＰ−ＭＳにより分析したものである。水道水のみについてはそのまま、水道水＋汚染物および特殊処理水＋汚染物については第１の実験例と同様に乾燥させた後に元素分析した。また、第５の実験例を開始する前に、ここで用いた汚染物（土壌）が確かに放射性元素による汚染を受けていることを確認するために、セシウム１３４＋セシウム１３７のガンマー線強度を測定した。この値は、８ないし１５×１０４［Ｂｑ／ｋｇ］であった。【００５５】
セシウムの核崩壊によれば、バリウム１３７の他に、ランタン１３９およびセリウム１４０が生成されることが知られている。そして、第５の実験例では、汚染物を特殊処理水に浸漬させた場合（本発明に係る除染方法の場合）、バリウム１３７だけでなく、ランタン１３９およびセリウム１４０が検出された。【００５６】
核崩壊によって生成される安定核種の割合（遷移確率）は、群論により理論的に求めることができる。例えば、セシウム１３７では、バリウム５２％、ランタン３２％、セリウム１６％である。また、セシウム１３４では、バリウム８４％、ランタン１４％、セリウム０％である。【００５７】
図５に示すように、第５の実験例では、汚染物を特殊処理水に浸漬させた場合、バリウム、ランタンおよびセリウムの含有量比は、バリウム７０％、ランタン２２％、セリウム８％となっている。すなわち、それぞれの値は、群論による理論値の範囲内（バリウム５２ないし７０％、ランタン１４ないし３２％、セリウム０ないし１６％）に収まっていることがわかる。【００５８】
なお、汚染物を水道水に浸漬させた場合については、ランタン１３９およびセリウム１４０が検出されていない。汚染物を水道水に浸漬させた場合でも、セシウムの通常の核崩壊は起きていると考えられる。しかし、セシウムの通常の半減期による核崩壊速度は遅く、一週間という短期間に生成されるランタン１３９およびセリウム１４０が微量であり、第５の実験例におけるＩＣＰ−ＭＳ分析では、その生成物を捉えることができなかったものと推定される。【００５９】
汚染物を特殊処理水に一週間浸漬させたときの、バリウム１３７、ランタン１３９およびセリウム１４０の存在量は、本発明に係る除染方法によって、汚染物のセシウム１３４およびセシウム１３７の核崩壊が加速促進されたことを強く推認させる。【００６０】
すなわち、第４および第５の実験例の結果によれば、本発明に係る除染方法は、汚染物の放射性元素の核崩壊を加速促進させることによって当該汚染物を除染する方法であることを推認させる。ただし、先述のように、この原理は、未だ推定の域を脱しておらず、確証は得られていない。【００６１】
以上のように、第１の実施の形態における除染方法は、放射性元素により汚染された汚染物を除染する除染方法であって、水を含む特殊処理水を取得する工程（ステップＳ１）と、特殊処理水に汚染物を浸漬させる工程（ステップＳ２）とを有する。これにより、簡易かつ安価な方法で汚染物の除染を行うことができる。【００６２】
特に、原子力発電所の事故の場合は、セシウム１３４およびセシウム１３７に汚染された汚染物に対する対処が求められる。本発明は、上記に示した実証実験により、セシウム１３４およびセシウム１３７に汚染された汚染物に対して有効であることが確かめられている。また、本発明の効果は、原子力発電所の廃炉などの場合にも有効である。【００６３】
また、第１の実施の形態において、特殊処理水を取得する工程は、水を０．８ＭＰａ以上に加圧することによって特殊処理水を生成することにより取得する工程を含む。特に、水を２ＭＰａ以上に加圧することが好ましい。【００６４】
第１の実施の形態における除染方法では、取得した特殊処理水に、そのまま汚染物を浸漬させると説明した。しかし、汚染物を浸漬する前に、取得した特殊処理水に、当該特殊処理水としての特性を強化させる処理を施してもよい。【００６５】
図６は、第２の実施の形態における除染方法を示す流れ図である。なお、図２に示す工程が開始されるまでに、除染の対象となる汚染物は、すでに特定（回収）されているものとする。【００６６】
図６に示すように、第２の実施の形態における除染方法では、まず、特殊処理水を取得する（ステップＳ１１）。【００６７】
なお、ステップＳ１１における「特殊処理水」は、ステップＳ１における「特殊処理水」と同様の特性を有する。【００６８】
また、第２の実施の形態におけるステップＳ１１では、第１の実施の形態におけるステップＳ１と同様に、水を２ＭＰａ以上で加圧することにより特殊処理水を生成（調整）して取得する。【００６９】
特殊処理水を取得すると、当該特殊処理水にＬＥＤの光線を照射する（ステップＳ１２）。ステップＳ１２において、後述する実験例（第６の実験例）では、特殊処理水を容器に取り、当該容器の上部から７［Ｗ］のＬＥＤの光線を３日間照射した。以下の説明では、ＬＥＤの光線を照射した特殊処理水を、特に、「強化特殊処理水」と呼んで、区別する場合がある。【００７０】
ＬＥＤの光線を照射することによって調整される強化特殊処理水は、加圧処理（ステップＳ１１）により生成された特殊処理水における水素結合のプロトンの当該結合がさらに弱まり、当該プロトンのイオンでも原子でもない粒子として性質がさらに強化されると推定される。なお、本実施の形態では、取得した特殊処理水に、ＬＥＤの光線を３日間照射して強化特殊処理水を調整する例を説明したが、ＬＥＤの光線を照射する期間は３日間に限定されるものではなく、例えば、２日間以上でも効果が認められており、好ましくは３日間以上である。【００７１】
このようにして、特殊処理水に対するＬＥＤの光線の照射が終了すると、当該取得した特殊処理水（強化特殊処理水）に汚染物を浸漬させる（ステップＳ１３）。ここでは、例えば、ＬＥＤの光線を照射した後の強化特殊処理水を所定の容器に取り、当該容器内の強化特殊処理水に汚染物を浸漬させ、静置させる。【００７２】
次に、所定期間が経過したか否かを判定し（ステップＳ１４）、所定期間が経過していない場合は、強化特殊処理水に汚染物を浸漬させた状態を維持する。なお、ステップＳ１３，Ｓ１４が継続される間（汚染物を特殊処理水に浸漬させる間）、当該強化特殊処理水を加圧しておく必要はない。また、その間の温度も、特に限定されない。【００７３】
一方、所定期間が経過している場合（ステップＳ１４においてＹｅｓ）、汚染物に対する検査を実行し（ステップＳ１５）、当該検査によって、汚染物の汚染状況（例えば、放射線強度）が安全とみなせる程度であるか否かを判定する（ステップＳ１６）。【００７４】
汚染物における汚染状況が、人体に対して安全とみなせる程度でない場合（ステップＳ１６においてＮｏ。）、ステップＳ１４に戻って、処理を継続する。すなわち、強化特殊処理水に汚染物を浸漬させた状態を維持する。【００７５】
一方、汚染物における汚染状況が、人体に対して安全とみなせる程度である場合（ステップＳ１６においてＹｅｓ。）、除染が完了したとみなして、除染方法を終了する。【００７６】
以上が、第２の実施の形態における除染方法を構成する各工程の説明である。次に、当該除染方法による実証実験の結果について説明する。【００７７】
図７は、第６の実験例の結果を示す図である。なお、第６の実験例では、第２の実験例と同様に、放射性元素に汚染されたキノコを試料として用いた。【００７８】
まず、採取した試料を重量における乾燥度８６％としてから砕き、１００［ｇ］の微塊状とし、これを汚染物とした。また、作成した汚染物のセシウム１３４およびセシウム１３７によるガンマー線強度を、NaI(T1)シンチレーションカウンタで計測した。【００７９】
また、第６の実験例は、第１の実施の形態において取得（生成）した特殊処理水（２ＭＰａ以上に加圧した水）に汚染物を浸漬させる場合と、第２の実施の形態に記載したようにＬＥＤの光線を７２時間（３日間）照射した強化特殊処理水に汚染物を浸漬させる場合とを比較する。【００８０】
また、浸漬時間は、いずれも７２時間である。浸漬後のガンマー線強度の測定は、汚染物を乾燥処理（重量における乾燥度８５％）した状態で行った。【００８１】
図７に示すように、いずれの特殊処理水に浸漬させた場合にも、セシウムのガンマー線強度が減少した。ただし、加圧処理しただけの特殊処理水（第１の実施の形態）の場合は、４８ないし５６％の減少であったが、加圧処理後にＬＥＤの光線を照射した場合は、約７９％の減少が観測された。すなわち、ＬＥＤの光線を照射することにより、ガンマー線強度が、さらに２７％程度減少したことを示している。【００８２】
以上のように、第２の実施の形態における除染方法は、取得された特殊処理水にＬＥＤの光線を照射してから汚染物を浸漬させる。このように、ＬＥＤの光線を照射することにより、さらに除染効果を高めることができる。【００８３】
以上、本発明の実施の形態について説明してきたが、本発明は上記の実施の形態に限定されるものではなく、様々な変形が可能である。【００８４】
例えば、特殊処理水は、水を含んでいればよく、純水である必要はない。例えば、海水などを採用してもよい。例えば、深海に存在する海水は水圧によって加圧されているので、当該海水をくみ上げれば、特に調整の必要はなく、そのまま特殊処理水として用いることができる。【００８５】
また、特殊処理水の生成方法としては、上記に示した加圧処理に限定されるものではない。例えば、３テスラ以上の強磁界の下で水を循環させる方法により生成させることも可能である。すなわち、図１に示すステップＳ１（または、図６に示すステップＳ１１）は、特殊処理水を取得できるのであれば、どのような工程に置き換えられてもよい。【００８６】
また、上記説明では、所定期間間隔で浸漬中の汚染物に対する検査を行って、汚染物に対する汚染状況が安全とみなせる状況となったときに除染方法を終了すると説明した。しかし、予め実験的に検証することにより、汚染物における汚染（放射能）が人体に無害とされるレベルになるまでの時間（汚染の原因となる元素によって異なるものと予想される。）を求めておき、当該時間の経過により、安全になったと見なして、除染方法を終了してもよい。【００８７】
また、図１および図６において、本発明に係る除染方法の基本的な除染の流れ図を示したが、除染方法における各工程はこれに限定されるものではない。例えば、汚染物の汚染度が百万［Ｂｑ／ｋｇ］近くと高い場合には、１回のフローでは除染を完了できない場合があり、特殊処理水を入れ替えて除染フローを繰り返さなければならないケースや、特殊処理水の量を多くするなどのケースもある。すなわち、本発明に係る除染方法は、このような変形が可能である。
【図１】
2017051479.tif 000003
【図２】
2017051479.tif 000004
【図３】
2017051479.tif 000005
【図４】
2017051479.tif 000006
【図５】
2017051479.tif 000007
【図６】
2017051479.tif 000008
【図７】
2017051479.tif 000009
【国際調査報告】
2017051479.tif 000010
2017051479.tif 000011
2017051479.tif 000012
2017051479.tif 000013